(57)【要約】ランプが、電気的に相互接続された光源１、バッテリー２およびスイッチユニット３を有する。このランプの信頼性、耐摩耗性、耐食性は、磁気スイッチ３であるスイッチユニットによって高められている。磁気スイッチは、電気絶縁性成形材料によって、光源１およびバッテリー２と同一のユニットに成形されており、また可動磁石４によって外部から操作される。
2004505423.tif 000002
【特許請求の範囲】
【請求項１】
電気的に相互接続された光源（１）と、バッテリー（２）と、スイッチユニット（３）とを有するランプであって、
前記スイッチユニットが磁気スイッチ（３）であり、該磁気スイッチは、電気絶縁成形材料（５）によって、光源（１）およびバッテリー（２）と同じユニット内に成形されており、また前記磁気スイッチは、可動磁石（４）によって外部から操作されることを特徴とするランプ。
【請求項２】
前記成形材料（５）が、ランプの構成部品の間のすべての空所を満たしており、それによってすべての電気接続部分が、無腐食環境内に位置付けられていることを特徴とする請求項１に記載のランプ。
【請求項３】
前記可動磁石が、ランプの周囲を回転可能なリングに取り付けられていることを特徴とする請求項２に記載のランプ。
【請求項４】
前記可動磁石が、ランプの外側に可動に取り付けられていることを特徴とする請求項２に記載のランプ。
【請求項５】
前記すべての電気接続部分が、溶接またははんだ付けされていることを特徴とする請求項３または請求項４に記載のランプ。
【請求項６】
前記光源、前記バッテリーおよび前記スイッチユニットと同じユニット内に成形された反射器（６）および照明レンズ（７）をさらに有することを特徴とする請求項５に記載のランプ。
【発明の詳細な説明】
【０００１】
本発明は、バッテリー駆動式ランプに関するものであり、特に電気的に相互接続された光源、バッテリーおよびスイッチユニットを有するランプに関するものである。
【０００２】
より詳細には、本発明は、汎用の使い捨てランプに関するものである。これらランプは、携帯型のランプで、充電できるものと充電できないものとがあり、また種々サイズがある。
【０００３】
通常のランプ、特にバッテリーや光源その他の構成部品を交換可能なランプは、一般に皆腐食しやすく、一定期間にわたって信頼性を維持できないという欠点がある。これは、通常、湿分が侵入する結果、バッテリー・光源・スイッチ間の接触腐食を惹起するためである。この腐食の結果、ランプは、振り動かしたり叩いたりしないと、点灯しなくなる。
【０００４】
ＵＳ−４，３０３，９７０には、冒頭に述べた種類のランプが開示されているが、このランプは、密封ハウジングによって水密に造られている。このランプは、また気泡ラバー等の弾性材料を内包している。この材料は、電気絶縁性でありかつ断熱性を有するが、空気を含有するため、とりわけランプ内で凝縮が発生する危険がある。最適の防御は、したがって電気接続部に腐食が発生するのを防止することである。このようなランプは、機械式のスイッチを有している。このスイッチは、制御軸の周囲のシール部材を介して外側から操作される。これは、空気、水分、蒸気の侵入や腐食といった付加的危険を生じる。
【０００５】
本発明の目的は、冒頭に述べた種類のランプであって、信頼性があり、あらかたの環境に耐え、水密で、耐食性があり、頑丈で、長期保管に耐え、衝撃その他の物理的応力に耐性を有し、製造費が安価なランプを得ることである。
【０００６】
本発明の特別の目的は、外部から操作部によって操作できる前記種類のランプを得ることにあり、しかも、この操作部により、信頼性、耐久性、水密性、耐食性、頑丈さ、保管耐性等のランプの品質が損なわれないようにすることである。
【０００７】
本発明の更に別の目的は、環境に優しく、かつ／または再利用体系に含めることのできる前記種類のランプを得ることにある。
【０００８】
前記目的は、特許請求の範囲の各項に記載のランプにより達成される。
【０００９】
以下、本発明を図面に基づいて詳細に説明する。
【００１０】
図１には、本発明による事実上長方形のランプの第１実施例が断面図で示されている。ランプ１０は、電気的に接続された光源１と、バッテリー２と、スイッチユニット３とから構成されている。すべての電気接続箇所は、腐食の危険を低減するため、溶接またははんだ付けされるのが好ましい。
【００１１】
図示する光源１は白熱灯であるが、１以上の相互接続された高輝度の発光ダイオードであって、前置限流抵抗を直列に接続された発光ダイオードでもよい。この前置抵抗（プレ・レジスター）は、発光ダイオードに組み込まれていてもよい。
【００１２】
すべての電気接続部は腐食フリー環境に配置されている。このことは、電気絶縁性の成形材料内に、空気および／または湿分を含むことなく、光源１、バッテリー２、およびスイッチユニット３のすべてを成形することにより達成される。
【００１３】
適する成形材料はポリエチレンである。適する成形材料の他の例は、ポリカーボネート、エポキシ、ポリスチレン、シリコン、２成分系または多成分系プラスチック材料である。
【００１４】
スイッチユニット３は、密封磁気スイッチまたは「リードスイッチ」である。スイッチユニット３は、外部から、可動永久磁石４を内蔵する操作体８によって操作される。スイッチユニット３を通る十分な力の磁場が生成されると、例えば永久磁石４がすぐ近くに位置付けられると、電気的接続がスイッチの２つ端子間に形成される。この実施例の場合、操作体は、ランプの主成形部分の外側のスロットまたは案内を利用してランプの外側に可動に取り付けられている。
【００１５】
ランプは、また反射器６と照明レンズ７とを含み、これらが両方とも、光源１、バッテリー２およびスイッチユニット３と同一のユニットに成形されている。
【００１６】
図２には、本発明による事実上円筒形のランプの第２実施例が、断面図で示されている。対応する部材には、図１と同じ符号が付されている。この場合、バッテリー２は、直列に接続された２つの円筒形の電池から成る。
【００１７】
この実施例２０は、可動磁石４が、ランプの周囲を回転するように配置された円形リング８に取付けられている点を除いて、概ね図１の実施例と対応している。円形リング８は、ランプの主要部の外径より僅かに大きい内径を有しているため、適度な摩擦をもって回転することができる。円形リング８を回転させて、磁石を磁気スイッチ３の直ぐ上の位置に移動させると、ランプのスイッチが入れられる。ランプの主要部には、スロット（図示せず）が設けられ、このスロットは円形リングを軸線方向の所定の位置に保持しながら回転運動を可能にするのに適している。
【００１８】
図２の実施例の変形では、円形リング８が、螺旋状に移動するように、すなわち回転運動と同時にランプの軸線方向に移動するように構成されている。この構成は、円形リング内に、ランプの主要部外側の固定隆起部に適合する螺旋状スロットを設けることにより達成される。
【００１９】
図３は、本発明による小型ランプの第３実施例３０の略示平面図である。この場合、バッテリー２にはボタン形電池が採用されており、光源１には、プレ・レジスターを組み込んだ発光ダイオードが用いられている。磁気スイッチ３は、磁石（図示せず）を内蔵する可動操作体（図示せず）によって操作され、この操作体が、ランプの成形主要部の外側に配置されている。
【００２０】
もっぱら密封ハウジングによって水密に造られている公知のランプと異なり、本発明のランプは、腐食の発生の機会が大幅に低減されている。なぜなら、成形材料が、すべての空所を満たしているため、空気、蒸気、水分が電気接続箇所と接触することが防止されているからである。この特徴が、密封磁気スイッチおよび外部操作用可動磁石と組み合わされて、長期にわたり保管耐性を有する高い信頼性のあるランプが提供される。更に、得られたこのランプは、成形材料によって構成部材の遊びや自由度が除去されているため、衝撃等の外力の影響に対して極めて頑丈である。
【００２１】
当業者には明らかであろうが、特許請求の範囲およびそれと等価の記載により定義されている本発明の枠内で、多くの変更態様や変化形が可能である。
【図面の簡単な説明】
【図１】
本発明によるランプの第１実施例の略示断面図である。
【図２】
本発明によるランプの第２実施例の略示断面図である。
【図３】
本発明によるランプの第３実施例の略示平面図である。
【国際公開パンフレット】
2004505423.tif 000003
2004505423.tif 000004
2004505423.tif 000005
2004505423.tif 000006
2004505423.tif 000007
2004505423.tif 000008
2004505423.tif 000009
2004505423.tif 000010
2004505423.tif 000011
2004505423.tif 000012
【手続補正書】
【提出日】平成14年6月26日(2002.6.26)
【手続補正１】
【補正対象書類名】明細書
【補正対象項目名】特許請求の範囲
【補正方法】変更
【補正の内容】
【特許請求の範囲】
【請求項１】
ランプ装置ハウジング（５）と、光源（１）と、バッテリー装置（２）と、前記光源および前記バッテリー装置の間に接続された磁気操作式スイッチユニット（３）とを有するランプ装置であって、前記スイッチユニット（３）が、前記ハウジング（５）の外側に対して移動可能な磁気手段（４）の使用によって操作可能であるランプ装置において、
前記光源（１）、前記バッテリー装置（２）および前記スイッチユニット（３）の間の全ての電気接続部部分が、それらに対してそれぞれ溶接またははんだ付けされており、
前記バッテリー装置（２）と、前記スイッチユニット（１）と、前記電気接続部分と、前記光源（１）の非放射部分とが、空所を生じないように前記ハウジング内に埋設されており、また前記ハウジングは、該ハウジング内に腐食のない環境を生成するように、電気絶縁性の単一成形材料（５）によって形成されていることを特徴とするランプ装置。
【請求項２】
前記磁気部材が、リング部材（８）に取付けられた磁石（４）であり、該リング部材が前記ランプハウジングの周囲に対して可動である請求項１に記載のランプ装置。
【請求項３】
前記磁気部材が、磁石ホルダ（８）に取り付けられた磁石（４）であり、該磁石ホルダが前記ランプハウジングの長手方向に可動である請求項１に記載のランプ装置。
【請求項４】
前記光源（１）が、前記成形材料（５）を用いることによって前記ハウジングに取り付けられた光反射器（６）とランプレンズ（７）とを含むことを特徴とする請求項１から請求項３までのいずれか１項に記載のランプ装置。
【請求項５】
前記成形材料（５）が、ポリエチレン、ポリカーボネート、エポキシ、ポリスチレン、シリコンの群から選択可能である請求項１または請求項４に記載のランプ装置。
【請求項６】
前記成形材料（５）が、２成分または多成分プラスチック材料である請求項１、請求項４または請求項５に記載のランプ装置。
【国際調査報告】
2004505423.tif 000013
2004505423.tif 000014
2004505423.tif 000015